【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
レンズバレルを光軸に沿って移動させるオートフォーカス用レンズ駆動部と、該オートフォーカス用レンズ駆動部を、前記光軸に直交し、かつ互いに直交する第１の方向及び第２の方向に移動させることにより、手振れを補正するようにした手振れ補正部とを有するレンズ駆動装置であって、
前記手振れ補正部は、
前記オートフォーカス用レンズ駆動部から前記光軸方向に離間して配置された固定部材と、
前記固定部材の外周部で一端が固定された複数本のサスペンションワイヤであって、前記光軸に沿って延在して他端が前記オートフォーカス用レンズ駆動部に固定され、前記オートフォーカス用レンズ駆動部を、前記第１の方向及び前記第２の方向に揺動可能に支持する、前記複数本のサスペンションワイヤと、
を有し、
前記オートフォーカス用レンズ駆動部は、
前記レンズバレルを保持するための筒状部を有するレンズホルダと、
該レンズホルダに、前記筒状部の周囲に位置するように固定されたフォーカスコイルと、
該フォーカスコイルと対向して配置された永久磁石と、
前記レンズホルダの外周に配置されて、前記永久磁石を保持するマグネットホルダと、
前記マグネットホルダの前記光軸方向の第１の端に取り付けられた第１の板バネと、前記第１の板バネに比べて前記固定部材の近傍に配置され、前記マグネットホルダの前記光軸方向の第２の端に取り付けられ、少なくとも１つの穴が設けられている、第２の板バネとからなり、前記第１及び第２の板バネにより、前記レンズホルダを径方向に位置決めした状態で前記光軸方向に変位可能に支持する板バネ部と、
前記マグネットホルダの前記第２の端から前記光軸方向に前記固定部材へ向けて突出し、前記第２の板バネの前記少なくとも１つの穴に装入される少なくとも１つの突起と、
を有し、
前記レンズ駆動装置は、
前記少なくとも１つの突起と前記固定部材との間に配設され、前記オートフォーカス用レンズ駆動部の前記光軸方向における不要共振を抑えるダンパ材をさらに有する、
レンズ駆動装置。
【請求項２】
前記オートフォーカス用レンズ駆動部の前記光軸方向における不要共振を抑える前記ダンパ材は、前記マグネットホルダと前記固定部材との間の８箇所に配設されている、ことを特徴とする請求項１に記載のレンズ駆動装置。
【請求項３】
前記突起は、前記複数本のサスペンションワイヤが配置されている前記固定部材の前記外周部の四隅部に配置され、
前記ダンパ材は、前記マグネットホルダと前記固定部材との間の、前記固定部材の前記外周部の前記四隅部と四辺部とにそれぞれ配設されている、
請求項２に記載のレンズ駆動装置。
【請求項４】
前記固定部材は、
前記複数本のサスペンションワイヤの一端を外周部で固定するベースと、
該ベース上に固定されて、前記手振れ補正部の手振れ補正用コイルが形成されたコイル基板と、
を備え、
前記ダンパ材は、前記突起と前記コイル基板との間に配置されている、請求項１乃至３のいずれか１つに記載のレンズ駆動装置。
【請求項５】
前記永久磁石は、４片の永久磁石片から成り、前記４片の永久磁石片は、各々が、該フォーカスコイルと対向する第１の面を持ち、前記光軸に対して該フォーカスコイルの半径方向外側に、前記第１の方向及び前記第２の方向に対向して配置され、
前記手振れ補正用コイルは、前記４片の永久磁石片の第１の面に垂直な第２の面にそれぞれ対向して、前記コイル基板上に配置された４つの手振れ補正用コイル部から成る、請求項４に記載のレンズ駆動装置。
【請求項６】
前記マグネットホルダは、前記ダンパ材を塗布するためのディスペンサを案内するガイド溝を有する、請求項１乃至５のいずれか１つに記載のレンズ駆動装置。
【請求項７】
請求項１乃至６のいずれか１つに記載のレンズ駆動装置と、
前記固定部材に対して前記オートフォーカス用レンズ駆動部の反対側に配置された撮像基板に配置された撮像素子と、
を有するカメラモジュール。
【請求項８】
請求項７に記載のカメラモジュールと、
前記カメラモジュールを制御する制御部と、
を有するカメラ。
【手続補正２】
【補正対象書類名】明細書
【補正対象項目名】００４５
【補正方法】変更
【補正の内容】
【００４５】
本発明によれば、レンズバレル（１２）を光軸（Ｏ）に沿って移動させるオートフォーカス用レンズ駆動部（２０；２０Ａ）と、このオートフォーカス用レンズ駆動部を、光軸（Ｏ）に直交し、かつ互いに直交する第１の方向（Ｘ）及び第２の方向（Ｙ）に移動させることにより、手振れを補正するようにした手振れ補正部とを有するレンズ駆動装置（１０；１０Ａ）であって、
手振れ補正部は、
オートフォーカス用レンズ駆動部（２０；２０Ａ）から光軸（Ｏ）方向に離間して配置された固定部材（１４、１８、４０、４４）と、
固定部材（１４、１８、４０、４４）の外周部で一端が固定された複数本のサスペンションワイヤ（１６）であって、光軸（Ｏ）に沿って延在して他端がオートフォーカス用レンズ駆動部（２０；２０Ａ）に固定され、オートフォーカス用レンズ駆動部（２０；２０Ａ）を、第１の方向（Ｘ）及び第２の方向（Ｙ）に揺動可能に支持する、複数本のサスペンションワイヤ（１６）と、
を有し、
オートフォーカス用レンズ駆動部（２０；２０Ａ）は、
レンズバレル（１２）を保持するための筒状部（２４０）を有するレンズホルダ（２４）と、
レンズホルダ（２４）に、筒状部（２４０）の周囲に位置するように固定されたフォーカスコイル（２６）と、
フォーカスコイル（２６）と対向して配置された永久磁石（２８）と、
レンズホルダ（２４）の外周に配置されて、永久磁石（２８）を保持するマグネットホルダ（３０）と、
マグネットホルダ（３０）の光軸（Ｏ）方向の第１の端（３０ａ）に取り付けられた第１の板バネ（３２）と、第１の板バネ（３２）に比べて固定部材（１４、１８、４０、４４）の近傍に配置され、マグネットホルダ（３０）の光軸（Ｏ）方向の第２の端（３０ｂ）に取り付けられ、少なくとも１つの穴（３４４ａ）が設けられている、第２の板バネ（３４）からなり、第１及び第２の板バネ（３２，３４）により、レンズホルダ（３０）を径方向に位置決めした状態で光軸（Ｏ）方向に変位可能に支持する板バネ部（３２，３４）と、
マグネットホルダ（３０）の第２の端（３０ｂ）から光軸（Ｏ）方向に固定部材（１４、１８、４０、４４）へ向けて突出し、第２の板バネ（３４）の少なくとも１つの穴（３４４ａ）に装入される少なくとも１つの突起（３０６ａ）と、
を有し、
レンズ駆動装置（１０；１０Ａ）は、
複数本のサスペンションワイヤ（１６）の他端は、第１の板バネ（３２）に固定されており、
少なくとも１つの突起（３０６ａ）と固定部材（１４、１８、４０、４４）との間に配設され、オートフォーカス用レンズ駆動部（２０；２０Ａ）の光軸（Ｏ）方向における不要共振を抑えるダンパ材（６５）をさらに有する、
レンズ駆動装置（１０；１０Ａ）が得られる。
【手続補正３】
【補正対象書類名】明細書
【補正対象項目名】００４６
【補正方法】変更
【補正の内容】
【００４６】
上記本発明によるレンズ駆動装置（１０；１０Ａ）において、オートフォーカス用レンズ駆動部（２０；２０Ａ）の光軸（Ｏ）方向における不要共振を抑えるダンパ材（６５）は、マグネットホルダ（３０）と固定部材（１４、１８、４０、４４）との間の８箇所に配設されてよい。また、上記本発明によるレンズ駆動装置（１０；１０Ａ）において、複数本のサスペンションワイヤ（１６）が配置されている固定部材（１４、１８、４０、４４）の外周部の四隅部に配置され、
ダンパ材（６５）は、前記マグネットホルダと固定部材（１４、１８、４０、４４）との間の、固定部材（１４、１８、４０、４４）の外周部の四隅部と四辺部とにそれぞれ配設されてよい。